(57)【要約】【課題】光源ランプの劣化や再点灯時の照度等を気にすることなく投影動作途中で気軽に投影表示を一時的に停止させる。【解決手段】光源ランプ38からの光を用いて光像を形成し出射する、投影レンズ13を含んだ投影系と、この投影系の光像出射位置に開閉自在に取付けられ、閉状態で光像の出射を遮蔽するレンズカバー(12)と、このレンズカバー(12)の開閉状態を検出するレンズカバースイッチ15と、このスイッチ15によりレンズカバー(12)の閉状態を検出した際に光源駆動部44により光源ランプ38の発光輝度を低下させる制御部45とを備える。【選択図】      図２
2011100164.tif 000002
【特許請求の範囲】
【請求項１】
光源ランプからの光を用いて光像を形成し出射する、光学レンズを含んだ投影手段と、
この投影手段の光像出射位置に開閉自在に取付けられ、閉状態で光像の出射を遮蔽するレンズカバーと、
このレンズカバーの開閉状態を検出する検出手段と、
この検出手段により上記レンズカバーの閉状態を検出した際に上記光源ランプの発光輝度を低下させる制御手段と
を具備したことを特徴とする投影装置。
【請求項２】
上記光源ランプに送風して冷却する冷却ファンをさらに具備し、
上記制御手段は、上記検出手段により上記レンズカバーの状態を検出した際に上記冷却ファンの回転速度も低下させる
ことを特徴とする請求項１記載の投影装置。
【請求項３】
光源ランプからの光を用いて光像を形成し出射する、光学レンズを含んだ投影手段と、
この投影手段の光像出射位置に開閉自在に取付けられ、閉状態で光像の出射を遮蔽するレンズカバーと、
このレンズカバーの開閉状態を検出する検出手段と、
この検出手段により上記レンズカバーの閉状態を検出した際に上記投影手段で形成する光像の輝度を低下させる制御手段と
を具備したことを特徴とする投影装置。
【請求項４】
上記投影手段は、反射式または透過式の空間的光変調素子を有し、
上記制御手段は、上記空間的光変調素子の階調制御を行なうことでこの空間的光変調素子で反射または透過して出射される光像の輝度を低下させる
ことを特徴とする請求項３記載の投影装置。
【請求項５】
光源ランプからの光を用いて光像を形成し出射する、光学レンズを含んだ投影部と、この投影部の光像出射位置に開閉自在に取付けられ、閉状態で光像の出射を遮蔽するレンズカバーとを備えた投影装置の投影制御方法であって、
上記レンズカバーの開閉状態を検出する検出工程と、
この検出工程で上記レンズカバーの閉状態を検出した際に上記光源ランプの発光輝度を低下させる制御工程と
を有したことを特徴とする投影制御方法。
【請求項６】
光源ランプからの光を用いて光像を形成し出射する、光学レンズを含んだ投影部と、この投影部の光像出射位置に開閉自在に取付けられ、閉状態で光像の出射を遮蔽するレンズカバーとを備えた投影装置の投影制御方法であって、
このレンズカバーの開閉状態を検出する検出工程と、
この検出工程で上記レンズカバーの閉状態を検出した際に上記投影部で形成する光像の輝度を低下させる制御工程と
を有したことを特徴とする投影制御方法。
【請求項７】
光源ランプからの光を用いて光像を形成し出射する、光学レンズを含んだ投影部と、この投影部の光像出射位置に開閉自在に取付けられ、閉状態で光像の出射を遮蔽するレンズカバーとを備えた投影装置が内蔵するコンピュータが実行するプログラムであって、
上記レンズカバーの開閉状態を検出する検出ステップと、
この検出ステップで上記レンズカバーの閉状態を検出した際に上記光源ランプの発光輝度を低下させる制御ステップと
をコンピュータに実行させることを特徴とするプログラム。
【請求項８】
光源ランプからの光を用いて光像を形成し出射する、光学レンズを含んだ投影部と、この投影部の光像出射位置に開閉自在に取付けられ、閉状態で光像の出射を遮蔽するレンズカバーとを備えた投影装置が内蔵するコンピュータが実行するプログラムであって、
このレンズカバーの開閉状態を検出する検出ステップと、
この検出ステップで上記レンズカバーの閉状態を検出した際に上記投影部で形成する光像の輝度を低下させる制御ステップと
をコンピュータに実行させることを特徴とするプログラム。
【発明の詳細な説明】
【技術分野】
【０００１】
本発明は、光源に高圧水銀灯等を用いる投影装置、投影制御方法及びプログラムに関する。
【背景技術】
【０００２】
従来、沈胴式の投写レンズ鏡筒を有するプロジェクタにおいて、レンズカバーを備え、そのレンズカバーの開放動作に対応して投写レンズ鏡筒の繰出しや光源ランプの点灯など、電源スイッチの操作なしに電源投入の動作を実行させるようにしたものが考えられていた。（例えば、特許文献１）
【先行技術文献】
【特許文献】
【０００３】
【特許文献１】特開平２００３−０２９３３２号公報
【発明の概要】
【発明が解決しようとする課題】
【０００４】
上記特許文献１に記載された技術は、単にレンズカバーの開放動作に基づき、電源スイッチのオン操作に代えて電源を投入するようにしたものである。したがって、この技術をさらに発展させると、沈胴式のレンズ鏡筒がすでに繰出されている電源オン時に、レンズ鏡筒に干渉しない範囲内で一定角度だけレンズカバーを閉じる動作を行なうと、特に電源スイッチをオフ操作せずとも、レンズ鏡筒の沈胴、光源ランプの消灯等が随時実行されるものになると思われる。
【０００５】
事実、プロジェクタ装置ではないが、同様の技術により、レンズカバーやレンズバリアと称される部材を一定量操作することで、電源スイッチのオフ操作を行なうことなく、自動的にレンズ鏡筒やポップアップ式のストロボ部等を自動的に沈胴、収納して電源オフに至るような銀塩フィルムを用いたコンパクトカメラ、あるいはデジタルスチルカメラ等が数多く商品化されている。
【０００６】
しかるにプロジェクタ装置では、高圧水銀灯などの非常に高温下で高輝度となる光源ランプを用いているため、一旦光源ランプへの通電を断ってしまうと、再点灯により再び必要な照度が得られるようになるまでに時間がかかってしまう不具合があるばかりか、高い頻度で通電のオン／オフを繰返すと高価な光源ランプが劣化してその寿命がすぐに尽きてしまい、ユーザの経済的な負担が大きくなってしまうなど、無闇に光源ランプへの通電のオン／オフを切換えることは決してプラスの要因とはならない。
【０００７】
一方で、例えばプレゼンテーション用のソフトウェアをインストールしたパソコンとこの種のプロジェクタ装置とを接続してプレゼンテーションを行なうことが広く一般的に行なわれており、そのようなプレゼンテーション時には、途中で一時的に投影表示を停止させたいことも多々あり得るが、上記した如く光源ランプへの通電状態を高い頻度で切り換えることはできる限り回避したいという要求もあり、プレゼンテーションの内容を著しく制限してしまうことになる。
【０００８】
本発明は上記のような実情に鑑みてなされたもので、その目的とするところは、光源ランプの劣化や再点灯時の照度等を気にすることなく投影動作途中で気軽に投影表示を一時的に停止させることが可能な投影装置、投影制御方法及びプログラムを提供することにある。
【課題を解決するための手段】
【０００９】
請求項１記載の発明は、光源ランプからの光を用いて光像を形成し出射する、光学レンズを含んだ投影手段と、この投影手段の光像出射位置に開閉自在に取付けられ、閉状態で光像の出射を遮蔽するレンズカバーと、このレンズカバーの開閉状態を検出する検出手段と、この検出手段により上記レンズカバーの閉状態を検出した際に上記光源ランプの発光輝度を低下させる制御手段とを具備したことを特徴とする。
【００１０】
請求項２記載の発明は、上記請求項１記載の発明において、上記光源ランプに送風して冷却する冷却ファンをさらに具備し、上記制御手段は、上記検出手段により上記レンズカバーの状態を検出した際に上記冷却ファンの回転速度も低下させることを特徴とする。
【００１１】
請求項３記載の発明は、光源ランプからの光を用いて光像を形成し出射する、光学レンズを含んだ投影手段と、この投影手段の光像出射位置に開閉自在に取付けられ、閉状態で光像の出射を遮蔽するレンズカバーと、このレンズカバーの開閉状態を検出する検出手段と、この検出手段により上記レンズカバーの閉状態を検出した際に上記投影手段で形成する光像の輝度を低下させる制御手段とを具備したことを特徴とする。
【００１２】
請求項４記載の発明は、上記請求項３記載の発明において、上記投影手段は、反射式または透過式の空間的光変調素子を有し、上記制御手段は、上記空間的光変調素子の階調制御を行なうことでこの空間的光変調素子で反射または透過して出射される光像の輝度を低下させることを特徴とする。
【００１３】
請求項５記載の発明は、光源ランプからの光を用いて光像を形成し出射する、光学レンズを含んだ投影部と、この投影部の光像出射位置に開閉自在に取付けられ、閉状態で光像の出射を遮蔽するレンズカバーとを備えた投影装置の投影制御方法であって、上記レンズカバーの開閉状態を検出する検出工程と、この検出工程で上記レンズカバーの閉状態を検出した際に上記光源ランプの発光輝度を低下させる制御工程とを有したことを特徴とする。
【００１４】
請求項６記載の発明は、光源ランプからの光を用いて光像を形成し出射する、光学レンズを含んだ投影部と、この投影部の光像出射位置に開閉自在に取付けられ、閉状態で光像の出射を遮蔽するレンズカバーとを備えた投影装置の投影制御方法であって、このレンズカバーの開閉状態を検出する検出工程と、この検出工程で上記レンズカバーの閉状態を検出した際に上記投影部で形成する光像の輝度を低下させる制御工程とを有したことを特徴とする。
【００１５】
請求項７記載の発明は、光源ランプからの光を用いて光像を形成し出射する、光学レンズを含んだ投影部と、この投影部の光像出射位置に開閉自在に取付けられ、閉状態で光像の出射を遮蔽するレンズカバーとを備えた投影装置が内蔵するコンピュータが実行するプログラムであって、上記レンズカバーの開閉状態を検出する検出ステップと、この検出ステップで上記レンズカバーの閉状態を検出した際に上記光源ランプの発光輝度を低下させる制御ステップとをコンピュータに実行させることを特徴とする。
【００１６】
請求項８記載の発明は、光源ランプからの光を用いて光像を形成し出射する、光学レンズを含んだ投影部と、この投影部の光像出射位置に開閉自在に取付けられ、閉状態で光像の出射を遮蔽するレンズカバーとを備えた投影装置が内蔵するコンピュータが実行するプログラムであって、このレンズカバーの開閉状態を検出する検出ステップと、この検出ステップで上記レンズカバーの閉状態を検出した際に上記投影部で形成する光像の輝度を低下させる制御ステップとをコンピュータに実行させることを特徴とする。
【発明の効果】
【００１７】
請求項１記載の発明によれば、レンズカバーを閉じる操作を行なうだけでこれを検出して自動的に光源ランプの発光輝度を一時的に低下させるものとしたので、例えばレンズカバーが閉じられた状態では光源ランプを定格値から所定の割合で低下させた印加電圧で発光駆動させるものとすれば、レンズカバーが閉じている間は光源ランプで発せられる熱量をある程度抑え、且つ装置としての投影表示は一時的に停止しながらも、レンズカバーを開けば光源ランプを元の輝度で発光するように容易に復帰させることができる上、光源ランプの点灯駆動自体は維持されるのでその劣化を招くことも回避できる。
【００１８】
請求項２記載の発明によれば、上記請求項１記載の発明の固化に加えて、光源ランプを冷却する冷却ファンの回転速度も低下させることで、投影表示を一時的に停止している状態での騒音を低く抑えることができる。
【００１９】
請求項３記載の発明によれば、レンズカバーを閉じる操作を行なうだけでこれを検出して自動的に投影表示される光像の輝度を一時的に低下させるものとしたので、レンズカバーが閉じている間はレンズカバーの裏面に照射される光像の輝度を低下させることでレンズカバーが高熱となってしまうのを回避でき、且つ装置としての投影表示は一時的に停止しながらも、レンズカバーを開けば光源ランプを元の輝度で発光するように容易に復帰させることができる上、光源ランプの点灯駆動自体は維持されるのでその劣化を招くことも回避できる。
【００２０】
請求項４記載の発明によれば、上記請求項３記載の発明の効果に加えて、空間的光変調素子の階調制御のみで容易に出射される光像の輝度を調整することができ、レンズカバーの開閉に対する応答性を容易に高めることができる。
【００２１】
請求項５記載の発明によれば、レンズカバーを閉じる操作を行なうだけでこれを検出して自動的に光源ランプの発光輝度を一時的に低下させるものとしたので、例えばレンズカバーが閉じられた状態では光源ランプを定格値から所定の割合で低下させた印加電圧で発光駆動させるものとすれば、レンズカバーが閉じている間は光源ランプで発せられる熱量をある程度抑え、且つ装置としての投影表示は一時的に停止しながらも、レンズカバーを開けば光源ランプを元の輝度で発光するように容易に復帰させることができる上、光源ランプの点灯駆動自体は維持されるのでその劣化を招くことも回避できる。
【００２２】
請求項６記載の発明によれば、レンズカバーを閉じる操作を行なうだけでこれを検出して自動的に投影表示される光像の輝度を一時的に低下させるものとしたので、レンズカバーが閉じている間はレンズカバーの裏面に照射される光像の輝度を低下させることでレンズカバーが高熱となってしまうのを回避でき、且つ装置としての投影表示は一時的に停止しながらも、レンズカバーを開けば光源ランプを元の輝度で発光するように容易に復帰させることができる上、光源ランプの点灯駆動自体は維持されるのでその劣化を招くことも回避できる。
【００２３】
請求項７記載の発明によれば、レンズカバーを閉じる操作を行なうだけでこれを検出して自動的に光源ランプの発光輝度を一時的に低下させるものとしたので、例えばレンズカバーが閉じられた状態では光源ランプを定格値から所定の割合で低下させた印加電圧で発光駆動させるものとすれば、レンズカバーが閉じている間は光源ランプで発せられる熱量をある程度抑え、且つ装置としての投影表示は一時的に停止しながらも、レンズカバーを開けば光源ランプを元の輝度で発光するように容易に復帰させることができる上、光源ランプの点灯駆動自体は維持されるのでその劣化を招くことも回避できる。
【００２４】
請求項８記載の発明によれば、レンズカバーを閉じる操作を行なうだけでこれを検出して自動的に投影表示される光像の輝度を一時的に低下させるものとしたので、レンズカバーが閉じている間はレンズカバーの裏面に照射される光像の輝度を低下させることでレンズカバーが高熱となってしまうのを回避でき、且つ装置としての投影表示は一時的に停止しながらも、レンズカバーを開けば光源ランプを元の輝度で発光するように容易に復帰させることができる上、光源ランプの点灯駆動自体は維持されるのでその劣化を招くことも回避できる。
【図面の簡単な説明】
【００２５】
【図１】本発明の実施の一形態に係るプロジェクタ装置の外観構成を示す斜視図。
【図２】同実施の形態に係るプロジェクタ装置の電子回路の機能構成を示すブロック図。
【図３】同実施の形態に係る投影系の駆動制御の処理内容を示すフローチャート。
【図４】同実施の形態に係るレンズカバーとその検出スイッチの他の構成例を示す図。
【発明を実施するための形態】
【００２６】
以下本発明をプロジェクタ装置に適用した場合の実施の一形態について図面を参照して説明する。
【００２７】
図１は、同実施の形態に係るプロジェクタ装置１０の外観構成を示すもので、図１（Ａ）は主として筐体前面及び上面の、図１（Ｂ）は筐体背面及び下面のそれぞれ配置構成を示す。
【００２８】
図１（Ａ）に示すように、直方体状の本体ケーシング１１の前面の一部、向かって右側が、矢印Ａで示すように手動で開閉自在な上開きのレンズカバー１２となっており、その内側に投影レンズ１３、及び測距センサ１４が配設される他、レンズカバー１２を閉じた状態でこれを検出するレンズカバースイッチ１５が当接位置に配置されている。
【００２９】
また、本体ケーシング１１の前面、左端側にはＩｒ受信部１６が配設されている。
投影レンズ１３は、後述するマイクロミラー素子等の空間的光変調素子で形成された光像をスクリーン等の対象に投影するためのものであり、ここでは合焦位置及びズーム位置（投影画角）を任意に可変できるものとする。
【００３０】
測距センサ１４は、２対の位相差センサの一方が水平方向、他方が垂直方向となるように互いに直交する方向に配置され、それぞれ被写体像に対する視差から三角測距の原理に基づいて所定の明暗パターンまでの距離を一次元的な検出ラインに沿って測定する。
【００３１】
Ｉｒ受信部１６は、図示しないこのプロジェクタ装置１０のリモートコントローラからのキー操作信号が重畳された赤外光（Ｉｒ）信号を受信する。
【００３２】
また、本体ケーシング１１の上面には、スイッチ部１７、及びスピーカ１８が配設される。
スイッチ部１７は、装置の電源のオン／オフ、入力切換、自動合焦、自動台形補正等を指示する各種キースイッチよりなる。
【００３３】
スピーカ１８は、入力された音声信号及び動作時のビープ音等を拡声放音する。
【００３４】
また、図１（Ｂ）に示すように本体ケーシング１１の背面には、入出力コネクタ部１９、Ｉｒ受信部２０、及びＡＣアダプタ接続部２１が配設される。
入出力コネクタ部１９は、例えばパーソナルコンピュータ等の外部装置との接続のためのＵＳＢ端子、映像入力用のミニＤ−ＳＵＢ端子、Ｓ端子、及びＲＣＡ端子と、音声入力用のステレオミニ端子等からなる。
【００３５】
Ｉｒ受信部２０は、上記Ｉｒ受信部１６と同様に、図示しないリモートコントローラからのキー操作信号が重畳された赤外光（Ｉｒ）信号を受信する。
ＡＣアダプタ接続部２１は、電源となる図示しないＡＣアダプタからのケーブルを接続する。
【００３６】
さらに、本体ケーシング１１の下面には、その四隅にそれぞれ高さ調節が可能な調整脚部２２ａ〜２２ｄが取り付けられる。これら調整脚部２２ａ，２２ｂ，２２ｃ，２２ｄはいずれも上記キーボード部１６でのキー操作によりその長さが調整される。
【００３７】
この図１（Ｂ）の状態では、前側に位置する一対の調整脚部２２ａ，２２ｂが共に若干長く調整されると共に、後側に位置する一対の調整脚部２２ｃ，２２ｄは最も短い状態に調整されている。
【００３８】
したがって、この状態のままのプロジェクタ装置１０を水平な場所に設置した場合、投影レンズ１３の投影光軸が投影レンズ１３の取付け面に対して垂直な方向であるとすれば、実際の投影レンズ１３の投影光軸は若干の仰角をもち、上側に向けて投影対象の図示しないスクリーンに出射されることとなる。
【００３９】
そのため、もし投影対象のスクリーンが鉛直方向に張設されるものとすれば、スクリーンの上端に近付くほど投影レンズ１３との距離が大きくなるので、自動台形補正を行なわない状態では、矩形の画像を投影した場合にスクリーン上では、上底の方が下底よりも長い台形の画像が投影表示されることとなる。
【００４０】
次に図２により上記プロジェクタ装置１０の電子回路の機能構成について説明する。図中、入出力コネクタ部１９より入力された各種規格の画像信号が、入出力インタフェース（Ｉ／Ｆ）３１、システムバスＳＢを介して画像変換部３２で所定のフォーマットの画像信号に統一された後に、投影エンコーダ３３へ送られる。
【００４１】
投影エンコーダ３３は、送られてきた画像信号をビデオＲＡＭ３４に展開記憶させた上でこのビデオＲＡＭ３４の記憶内容からビデオ信号を生成して投影駆動部３５に出力する。
【００４２】
この投影駆動部３５は、送られてきた画像信号に対応して適宜フレームレート、例えば３０［フレーム／秒］と階調表示数に従った、より高速な時分割駆動で空間的光変調素子（ＳＯＭ）３６を表示駆動するもので、この空間的光変調素子３６に対して、リフレクタ３７内に配置された超高圧水銀灯等の光源ランプ３８が出射する高輝度の白色光をカラーホイール３９を介して適宜原色に着色し、ミラー４０を介して照射することで、その反射光で光像が形成され、上記投影レンズ１３を介してここでは図示しないスクリーンに投影表示される。
【００４３】
しかるに、上記投影レンズ１３はレンズモータ（Ｍ）４１に駆動されることでズーム位置及びフォーカス位置を適宜移動する。
また、上記光源ランプ３８の点灯駆動と、この光源ランプ３８を形成したリフレクタ３７を冷却する冷却ファン４２を回転駆動するファンモータ（Ｍ）４３は、共に光源駆動部４４からの供給電圧値に基づいて動作する。
【００４４】
上記各回路のすべての動作制御を司るのが制御部４５である。この制御部４５は、ＣＰＵと、後述する投影動作の一時停止の処理を含む該ＣＰＵで実行される動作プログラムを記憶した不揮発性メモリ、及びワークメモリ等により構成される。
【００４５】
この制御部４５にはまた、システムバスＳＢを介して上記レンズカバースイッチ１５、脚駆動部４６、音声処理部４７、及び測距処理部４８が接続される。
【００４６】
脚駆動部４６は、上記制御部４５の制御の下に、上記本体ケーシング１１の下面に装着された上記調整脚部２２ａ〜２２ｄにそれぞれ接続された図示しない各モータを個別に回転駆動し、上記調整脚部２２ａ〜２２ｄの脚長を調整することで、設置されている本体ケーシング１１の姿勢を制御する。
【００４７】
音声処理部４７は、ＰＣＭ音源等の音源回路を備え、投影動作時に与えられる音声データをアナログ化し、上記スピーカ１８を駆動して拡声放音させる。
測距処理部４８は、上記測距センサ１４を駆動して投影対象までの縦方向及び横方向の距離を測定する。
【００４８】
なお、上記スイッチ部１７における各キー操作信号が直接制御部４５に入力されると共に、上記Ｉｒ受信部１６及び本体ケーシング１１の背面側に設けられるＩｒ受信部２０での赤外光受信信号も制御部４５に直接入力される。
【００４９】
次に上記実施の形態の動作について説明する。
図３は、電源をオンし、入出力コネクタ部１９に接続された図示しない外部機器から入力される画像を投影する動作を実行している状態での、主として制御部４５とこの制御部４５の制御の下に動作する光源駆動部４４による光源系を含む制御内容を示すものである。
【００５０】
その当初の通常動作時には、光源駆動部４４により光源ランプ３８に定格電圧、例えば２００［Ｖ］を印加して発光駆動させ（ステップＳ０１）、併せてこの光源ランプ３８を冷却するための冷却ファン４２を回転駆動するファンモータ４３にも定格電圧、例えば１５［Ｖ］を印加して回転駆動させる（ステップＳ０２）。
【００５１】
このとき、空間的光変調素子３６で投影のために表示する画像は、そのＲＧＢ各原色成分とも、画像変換部３２で変換した通りの通常の階調値に基づいて階調駆動する（ステップＳ０３）。
【００５２】
因みに、上記空間的光変調素子３６が例えばマイクロミラー素子で構成されるものとした場合、マイクロミラー素子を形成する各１画素のミラー素子は１回のオンまたはオフ動作により２値の画像しか表示し得ない。
【００５３】
そのため、時分割駆動により画像１フレームを複数のフィールド、例えば各原色成分の画像信号の階調ビット数が４ビットであれば１６フィールドに分割して時分割でオン／オフの回数を制御することにより、各原色成分の１画素分の画像を階調表示することができる。
【００５４】
上記のように通常の投影動作を実行しながら、レンズカバースイッチ１５がオンとなったか否かを繰返し判断することで、レンズカバー１２が閉じられるのを待機する（ステップＳ０４）。
【００５５】
しかして、レンズカバー１２が閉じられてレンズカバースイッチ１５がオンとなると、ステップＳ０４でこれを判断し、投影動作の一時停止状態に移行する。具体的には、光源駆動部４４により光源ランプ３８に定格電圧から２０［％］低下した電圧、例えば定格電圧が２００［Ｖ］であれば１６０［Ｖ］を印加して発光駆動を維持させ（ステップＳ０５）、併せてこの光源ランプ３８を冷却するための冷却ファン４２を回転駆動するファンモータ４３にも定格電圧から２０［％］低下した電圧、例えば定格電圧が１５［Ｖ］であれば１２［Ｖ］を印加して回転駆動させる（ステップＳ０６）。
【００５６】
このとき、空間的光変調素子３６で投影のために表示する画像は、そのＲＧＢ各原色成分の各画素とも、画像変換部３２で変換した通りの通常の階調値から例えば１ビット小さくなる方向にシフトさせた値に基づいて階調駆動することで階調値を略１／２とし、その分だけ空間的光変調素子３６で階調駆動のためにオフ駆動される回数を増やして、投影レンズ１３より投影表示のために出力される画像の輝度を半減させるものとする（ステップＳ０７）。
【００５７】
このような、全体に投影レンズ１３より出射される光像の発光輝度と冷却ファン４２による冷却能力とを意図的に低減させた状態で、所定時間（例えば５分間）が経過したか否か（ステップＳ０８）、レンズカバースイッチ１５がオフとなったか否か（ステップＳ０９）を繰返し判断することで、所定時間が経過するか、レンズカバー１２が開けられるのを待機する。
【００５８】
所定時間が経過した場合には、ステップＳ０８でこれを判断し、無駄な電力の消費を避けるべく、そのまま電源をオフする。
【００５９】
また、レンズカバー１２が開けられ、レンズカバースイッチ１５がオフとなると、ステップＳ０９でこれを判断し、上記ステップＳ０１からの処理に戻って、再び通常の投影動作に移行する。
【００６０】
このように、レンズカバー１２を閉じる操作を行なうだけでレンズカバースイッチ１５によりこれを検出して自動的に光源ランプ３８を定格値から所定の割合で低下させた印加電圧で発光駆動させるものとしたので、レンズカバー１２が閉じている間は光源ランプ３８で発せられる熱量をある程度抑え、且つプロジェクタ装置１０としての投影表示は一時的に停止しながらも、レンズカバー１２を開けば光源ランプ３８を元の輝度で発光するように容易に復帰させることができる上、光源ランプ３８の点灯駆動自体は維持されるのでその劣化を招くことも回避できる。
【００６１】
加えて、光源ランプ３８の発光輝度の低下に伴って、光源ランプ３８を冷却する冷却ファン４２の回転速度も低下させることで、投影表示を一時的に停止している状態では、プロジェクタ装置１０の主要な騒音源となる冷却ファン４２で発生される騒音も低く抑えることができる。
【００６２】
さらに、光源ランプ３８の発光輝度の低下と合わせて、空間的光変調素子３６で形成する光像の輝度を一時的に低下させるべく、その表示階調を下げるように表示駆動するものとしたので、レンズカバー１２が閉じている間にレンズカバー１２の裏面に照射される光量の絶対値を大幅に低下させ、レンズカバー１２が高熱となってしまうのを確実に回避できる。
【００６３】
この場合、空間的光変調素子３６の表示階調を下げる具体的な処理として、画像信号の階調のデジタル値を１ビットあるいは２ビット小さくなる方向にシフトするごく単純な処理により、形成される光像の輝度を略１／２あるいは略１／４とすることができる。
【００６４】
なお、上記ステップＳ０５とステップＳ０６でのランプ及びファンの駆動電圧を低下させる動作を省略してもよい。その場合、表示階調を下げる処理だけでも、灰色となる表示を行ない、光源ランプ３８の点灯駆動自体は維持されるので、その劣化を招くことも回避できる。また、逆に上記ステップＳ０７を省略して、ステップＳ０５とステップＳ０６でのランプ及びファンの駆動電圧を低下させる動作だけを行なうようにしてもよい。
【００６５】
なお、この空間的光変調素子３６での表示階調を下げる、より簡単な処理として、すべての階調値を「０（ゼロ）」にしてしまう方法、すなわちレンズカバー１２が閉じている状態では空間的光変調素子３６は画面全面が黒となる表示のみを行なうものとしてもよい。
【００６６】
この場合、光源ランプ３８からの光は空間的光変調素子３６で投影レンズ１３に至る光路以外の場所に全反射されるため、発光レンズカバー１２の裏面に照射される光量は「０（ゼロ）」であり、レンズカバー１２が高熱となってしまうことは確実に回避できる。
【００６７】
なお、上記空間的光変調素子３６での表示階調を低減する方法及び全く「０（ゼロ）」にしてしまう方法は、光源ランプ３８側の発光輝度を低下させることなく実施するものとしても同様の効果が得られるものであり、且つレンズカバー１２が再び開かれた場合にも即時必要な発光輝度が得られるように応答性に優れた対応ができるものであるが、その場合に光源ランプ３８は通常の投影時と同様に発熱することとなるため、これを冷却する冷却ファン４２の回転速度を低下させることはしない。
【００６８】
また、上記実施の形態では、図１中にレンズカバー１２が矢印Ａで示した如く投影レンズ１３の前方、下方向に開くものとして開く場合を例にとって説明したが、本発明はこれに限らず、レンズカバーがスライドすることで開閉動作するものとしてもよい。
【００６９】
図４は、スライド式のレンズカバー１２′を有した本体ケーシング１１′からなるプロジェクタ装置１０の構成例を示すもので、この場合には、レンズカバー１２′を閉じた状態でオンとなるような位置にレンズカバースイッチ１５′を配設するものとする。
【００７０】
図４（Ａ）はレンズカバー１２′を開いて投影レンズ１３及び測距センサ１４が露出し、投影可能な状態を示し、一方の図４（Ｂ）はレンズカバー１２′を閉じて投影レンズ１３及び測距センサ１４が覆い隠された状態を示す。
【００７１】
図４（Ｂ）に示すようにレンズカバー１２′がスライドして閉じた状態でレンズカバースイッチ１５′がオンすると、これを検出して上記実施の形態と同様の動作を行なうものととなる。
【００７２】
なお、上記法実施の形態は、空間的光変調素子３６としてデジタルミラー素子を用い、光源ランプ３８として超高圧水銀灯を用い、合わせてこの光源ランプ３８を冷却する冷却ファン４２が存在するものとして説明したが、本発明は個々の部材の素子等を限定するものではなく、例えば空間的光変調素子３６として、デジタルミラー素子に代えて透過型のカラー液晶パネルを用い、カラーホイール３９とミラー４０を配することなく、光源ランプ３８の発光を透過することでカラーの光像を形成し、投影レンズ１３へ導出するものとしてもよい。
【００７３】
その他、本発明は上記実施の形態に限らず、その要旨を逸脱しない範囲内で種々変形して実施することが可能であるものとする。
【００７４】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【符号の説明】
【００７５】
１０…プロジェクタ装置、１１，１１′…本体ケーシング、１２，１２′…レンズカバー、１３…投影レンズ、１４…測距センサ、１５，１５′…レンズカバースイッチ、１６…Ｉｒ受信部、１７…スイッチ部、１８…スピーカ、１９…入出力コネクタ部、２０…Ｉｒ受信部、２１…ＡＣアダプタ接続部、２２ａ〜２２ｄ…調整脚部、３１…入出力インタフェース（Ｉ／Ｆ）、３２…画像変換部、３３…投影エンコーダ、３４…ビデオＲＡＭ、３５…投影駆動部、３６…空間的光変調素子（ＳＯＭ）、３７…リフレクタ、３８…光源ランプ、３９…カラーホイール、４０…ミラー、４１…レンズモータ（Ｍ）、４２…ファン、４３…ファンモータ（Ｍ）、４４…光源駆動部、４５…制御部、４６…脚駆動部、４７…音声処理部、４８…測距処理部、ＳＢ…システムバス。
【図１】
2011100164.tif 000003
【図２】
2011100164.tif 000004
【図３】
2011100164.tif 000005
【図４】
2011100164.tif 000006
【手続補正書】
【提出日】平成23年3月9日(2011.3.9)
【手続補正１】
【補正対象書類名】明細書
【補正対象項目名】０００８
【補正方法】変更
【補正の内容】
【０００８】
本発明は上記のような実情に鑑みてなされたもので、その目的とするところは、投影動作途中で気軽に投影表示を一時的に停止させた場合であっても、低消費電力で、より安全に動作させることが可能な投影装置、投影制御方法及びプログラムを提供することにある。
【手続補正２】
【補正対象書類名】明細書
【補正対象項目名】０００９
【補正方法】変更
【補正の内容】
【０００９】
請求項１記載の発明は、投影装置であって、
光源ランプからの光を用いて光像を形成し出射する、光学レンズを含んだ投影手段と、
この投影手段の光像出射位置に開閉自在に取付けられ、閉状態で光像の出射を遮蔽するレンズカバーと、
このレンズカバーの開閉状態を検出する検出手段と、この検出手段により上記レンズカバーの閉状態を検出した際に上記光源ランプの発光輝度を発光制御手段と、
上記検出手段により上記レンズカバーの閉状態を検出した際に上記発光制御手段により上記光源ランプの発光輝度を低下させてから上記レンズカバーが開状態にされることなく所定時間経過したか否かを判断する判断手段と、
この判断手段により、上記光源ランプの発光輝度を低下させてから上記レンズカバーが開状態にされることなく所定時間経過したと判断された場合、電源をオフにする電源オフ手段と
を具備したことを特徴とする。
【手続補正３】
【補正対象書類名】明細書
【補正対象項目名】００１０
【補正方法】変更
【補正の内容】
【００１０】
請求項２記載の発明は、上記請求項１記載の発明において、
上記光源ランプに送風して冷却する冷却ファンと、
上記検出手段により上記レンズカバーの閉状態を検出した際に上記冷却ファンの回転速度を低下させる冷却制御手段と
をさらに具備することを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
請求項３記載の発明は、上記請求項１又は２記載の発明において、
上記投影手段は、反射式または透過式の空間的光変調素子を有し、
上記検出手段により上記レンズカバーの閉状態を検出した際に上記空間的光変調素子の画像の階調値を低下させる階調制御手段
をさらに具備することを特徴とする。
請求項４記載の発明は、上記請求項３記載の発明において、
上記階調制御手段は、画像の階調値をビットシフトさせることにより上記空間的光変調素子の画像の階調値を低下させることを特徴とする。
請求項５記載の発明は、上記請求項１〜４の何れか一項記載の発明において、
上記判断手段により、上記光源ランプの発光輝度を低下させてから所定時間経過する前に上記レンズカバーが開状態になったと判断された場合、
上記発光制御手段は、上記光源ランプの発光輝度を定格状態に戻すことを特徴とする。
請求項６記載の発明は、上記請求項１〜５の何れか一項記載の発明において、
上記判断手段により、上記光源ランプの発光輝度を低下させてから所定時間経過する前に上記レンズカバーが開状態になったと判断された場合、
上記冷却制御手段は、上記冷却ファンの回転速度を定格状態に戻すことを特徴とする。
請求項７記載の発明は、上記請求項１〜６の何れか一項記載の発明において、
上記判断手段により、上記光源ランプの発光輝度を低下させてから所定時間経過する前に上記レンズカバーが開状態になったと判断された場合、
上記階調制御手段は、上記空間的光変調素子の画像の階調値を通常の階調値に戻すことを特徴とする。
【手続補正６】
【補正対象書類名】明細書
【補正対象項目名】００１３
【補正方法】変更
【補正の内容】
【００１３】
請求項８記載の発明は、投影制御方法であって、
光源ランプからの光を用いて光像を形成し出射する、光学レンズを含んだ投影部と、この投影部の光像出射位置に開閉自在に取付けられ、閉状態で光像の出射を遮蔽するレンズカバーとを備えた投影装置の投影制御方法であって、
上記レンズカバーの開閉状態を検出する検出工程と、
この検出工程で上記レンズカバーの閉状態を検出した際に上記光源ランプの発光輝度を低下させる発光制御工程と、
上記検出工程により上記レンズカバーの閉状態を検出した際に上記発光制御工程により上記光源ランプの発光輝度を低下させてから上記レンズカバーが開状態にされることなく所定時間経過したか否かを判断する判断工程と、
この判断工程により、上記光源ランプの発光輝度を低下させてから上記レンズカバーが開状態にされることなく所定時間経過したと判断された場合、電源をオフにする電源オフ工程と
を有したことを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
請求項９記載の発明は、
光源ランプからの光を用いて光像を形成し出射する、光学レンズを含んだ投影部と、この投影部の光像出射位置に開閉自在に取付けられ、閉状態で光像の出射を遮蔽するレンズカバーとを備えた投影装置が内蔵するコンピュータが実行するプログラムであって、
上記レンズカバーの開閉状態を検出する検出ステップと、
この検出ステップで上記レンズカバーの閉状態を検出した際に上記光源ランプの発光輝度を低下させる発光制御ステップと、
上記検出手段により上記レンズカバーの閉状態を検出した際に上記発光制御ステップにより上記光源ランプの発光輝度を低下させてから上記レンズカバーが開状態にされることなく所定時間経過したか否かを判断する判断ステップと、
この判断ステップにより、上記光源ランプの発光輝度を低下させてから上記レンズカバーが開状態にされることなく所定時間経過したと判断された場合、電源をオフにする電源オフステップと
をコンピュータに実行させることを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
本願発明によれば、投影動作途中で気軽に投影表示を一時的に停止させた場合であっても、低消費電力で、より安全に動作させることが可能な投影装置、投影制御方法及びプログラムを提供できる。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】特許請求の範囲
【補正対象項目名】全文
【補正方法】変更
【補正の内容】
【特許請求の範囲】
【請求項１】
光源ランプからの光を用いて光像を形成し出射する、光学レンズを含んだ投影手段と、
この投影手段の光像出射位置に開閉自在に取付けられ、閉状態で光像の出射を遮蔽するレンズカバーと、
このレンズカバーの開閉状態を検出する検出手段と、
この検出手段により上記レンズカバーの閉状態を検出した際に上記光源ランプの発光輝度を低下させる発光制御手段と、
上記検出手段により上記レンズカバーの閉状態を検出した際に上記発光制御手段により上記光源ランプの発光輝度を低下させてから上記レンズカバーが開状態にされることなく所定時間経過したか否かを判断する判断手段と、
この判断手段により、上記光源ランプの発光輝度を低下させてから上記レンズカバーが開状態にされることなく所定時間経過したと判断された場合、電源をオフにする電源オフ手段と
を具備したことを特徴とする投影装置。
【請求項２】
上記光源ランプに送風して冷却する冷却ファンと、
上記検出手段により上記レンズカバーの閉状態を検出した際に上記冷却ファンの回転速度を低下させる冷却制御手段と
をさらに具備することを特徴とする請求項１記載の投影装置。
【請求項３】
上記投影手段は、反射式または透過式の空間的光変調素子を有し、
上記検出手段により上記レンズカバーの閉状態を検出した際に上記空間的光変調素子の画像の階調値を低下させる階調制御手段
をさらに具備することを特徴とする請求項１又は２記載の投影装置。
【請求項４】
上記階調制御手段は、画像の階調値をビットシフトさせることにより上記空間的光変調素子の画像の階調値を低下させることを特徴とする請求項３記載の投影装置。
【請求項５】
上記判断手段により、上記光源ランプの発光輝度を低下させてから所定時間経過する前に上記レンズカバーが開状態になったと判断された場合、
上記発光制御手段は、上記光源ランプの発光輝度を定格状態に戻すことを特徴とする請求項１〜４の何れか一項記載の投影装置。
【請求項６】
上記判断手段により、上記光源ランプの発光輝度を低下させてから所定時間経過する前に上記レンズカバーが開状態になったと判断された場合、
上記冷却制御手段は、上記冷却ファンの回転速度を定格状態に戻すことを特徴とする請求項１〜５の何れか一項記載の投影装置。
【請求項７】
上記判断手段により、上記光源ランプの発光輝度を低下させてから所定時間経過する前に上記レンズカバーが開状態になったと判断された場合、
上記階調制御手段は、上記空間的光変調素子の画像の階調値を通常の階調値に戻すことを特徴とする請求項１〜６の何れか一項記載の投影装置。
【請求項８】
光源ランプからの光を用いて光像を形成し出射する、光学レンズを含んだ投影部と、この投影部の光像出射位置に開閉自在に取付けられ、閉状態で光像の出射を遮蔽するレンズカバーとを備えた投影装置の投影制御方法であって、
上記レンズカバーの開閉状態を検出する検出工程と、
この検出工程で上記レンズカバーの閉状態を検出した際に上記光源ランプの発光輝度を低下させる発光制御工程と、
上記検出工程により上記レンズカバーの閉状態を検出した際に上記発光制御工程により上記光源ランプの発光輝度を低下させてから上記レンズカバーが開状態にされることなく所定時間経過したか否かを判断する判断工程と、
この判断工程により、上記光源ランプの発光輝度を低下させてから上記レンズカバーが開状態にされることなく所定時間経過したと判断された場合、電源をオフにする電源オフ工程と
を有したことを特徴とする投影制御方法。
【請求項９】
光源ランプからの光を用いて光像を形成し出射する、光学レンズを含んだ投影部と、この投影部の光像出射位置に開閉自在に取付けられ、閉状態で光像の出射を遮蔽するレンズカバーとを備えた投影装置が内蔵するコンピュータが実行するプログラムであって、
上記レンズカバーの開閉状態を検出する検出ステップと、
この検出ステップで上記レンズカバーの閉状態を検出した際に上記光源ランプの発光輝度を低下させる発光制御ステップと、
上記検出手段により上記レンズカバーの閉状態を検出した際に上記発光制御ステップにより上記光源ランプの発光輝度を低下させてから上記レンズカバーが開状態にされることなく所定時間経過したか否かを判断する判断ステップと、
この判断ステップにより、上記光源ランプの発光輝度を低下させてから上記レンズカバーが開状態にされることなく所定時間経過したと判断された場合、電源をオフにする電源オフステップと
をコンピュータに実行させることを特徴とするプログラム。